(57)【要約】【課題】エリア警報装置および主警報装置のモジュールおよび機能を同時に兼ね備えた病院用警報システムの統合装置を提供する。【解決手段】エリア警報装置および主警報装置のモジュールおよび機能を同時に兼ね備えた病院用警報システムの統合装置４であり、病院内部の配置需要に基づいて、出入力モジュールを調整し、エリア警報機能と主警報機能とを分けて使用したり、或いは一つの統合装置４において二種の機能を同時に実行したりすることができ、外部メモリーカード４７ａを接続することによって、統合装置４内部のプログラムの更新を随時行なうことができ、更新時に必要な時間およびコストを大幅に低減することができる。【選択図】  図３
2009259057.tif 000002
【特許請求の範囲】
【請求項１】
制御ユニットと、
前記制御ユニットと電気的に接続され、設置された環境の各条件のデータを検出し、検出したデータを前記制御ユニットに返信するのに使用されるセンサモジュールと、
前記制御ユニットと電気的に接続され、統合装置の入力モジュールであり、第１の外部装置と接続され、前記第１の外部装置が発信する指令およびデータを前記制御ユニットに伝送するのに使用されるスイッチモジュールと、
前記制御ユニットと電気的に接続され、第２の外部装置と接続され、前記制御ユニットが発信した指令およびデータを前記第２の外部装置に伝送するのに使用されるリレーモジュールと、
前記制御ユニットと電気的に接続され、外部メモリーカードと接続され、前記制御ユニット内に保存されたデータをメモリーカードを通じて直接外部に出力したり、或いは前記メモリーカード内に保存されたプログラムによって前記制御ユニットに対してプログラムの更新を直接行なったりするのに使用されるメモリーカードモジュールと、
前記制御ユニットと電気的に接続され、前記制御ユニットが伝送したデータの分析結果を受信して表示する表示モジュールと、を備えることを特徴とする病院用警報システムの統合装置。
【請求項２】
前記制御ユニットは、少なくとも３２ビットであり、組み込みＯＳを有するＣＰＵが内蔵されることを特徴とする請求項１記載の病院用警報システムの統合装置。
【請求項３】
前記センサモジュールは、気体センサモジュールであり、設置環境の各気体データを検出し、検出したデータを前記制御ユニットに返信するのに使用されることを特徴とする請求項１記載の病院用警報システムの統合装置。
【請求項４】
前記第１の外部装置および第２の外部装置は、同一の外部装置であることを特徴とする請求項１記載の病院用警報システムの統合装置。
【請求項５】
前記第１の外部装置および第２の外部装置は、前記統合装置であることを特徴とする請求項１記載の病院用警報システムの統合装置。
【請求項６】
前記スイッチモジュールおよび前記リレーモジュールには、無電圧接点が提供され、無電圧接点による接続方式で前記複数の外部装置と接続されることを特徴とする請求項１記載の病院用警報システムの統合装置。
【請求項７】
前記スイッチモジュールおよび前記リレーモジュールは、ＲＳ‐４８５ボードによって前記複数の外部装置と接続されることを特徴とする請求項１記載の病院用警報システムの統合装置。
【請求項８】
前記メモリーカードモジュールは、ＳＤカードモジュールであることを特徴とする請求項１記載の病院用警報システムの統合装置。
【請求項９】
更に、前記制御ユニットと電気的に接続されるインターフェイスポートモジュールを備え、前記インターフェイスポートモジュールは、外部ホストと接続され、前記ホストから前記装置内に保存されたデータを直接取得するのに使用されることを特徴とする請求項１記載の病院用警報システムの統合装置。
【請求項１０】
前記インターフェイスポートモジュールは、ＲＳ‐２３２ポートを通じて前記外部ホストと接続されることを特徴とする請求項９記載の病院用警報システムの統合装置。
【請求項１１】
前記インタフェイスポートモジュールは、無線ＬＡＮカードを通じて前記外部ホストと接続されることを特徴とする請求項９記載の病院用警報システムの統合装置。
【請求項１２】
前記表示モジュールは、有機ＥＬであることを特徴とする請求項１記載の病院用警報システムの統合装置。
【請求項１３】
前記表示モジュールは、ＬＥＤであることを特徴とする請求項１記載の病院用警報システムの統合装置。
【請求項１４】
前記表示モジュールは、ＬＣＤであることを特徴とする請求項１記載の病院用警報システムの統合装置。
【請求項１５】
前記制御ユニットには、更にウェブサーバーモジュールが内蔵されることを特徴とする請求項１記載の病院用警報システムの統合装置。
【発明の詳細な説明】
【技術分野】
【０００１】
本発明は警報装置に関し、特に、病院内部で使用される警報装置に関する。
【背景技術】
【０００２】
近年、医療に関連する技術および設備は何れも顕著な改善および進歩がなされており、各種疾病の治癒率が高まり、平均寿命も長くなっている。しかし、良好な医療技術は高機能で安定した設備によってサポートされる必要があるので、当該技術に従事する者は医療設備の改良および発明に心血を注いでいる。
【０００３】
現在、所定の基準を満たす病院内には所定数量の病室が配置され、手術が必要な患者、長期観察が必要な患者または行動に支障がある患者などが入院して治療および観察を受ける。これらの入院患者およびこれらの患者の世話をする医師、看護士の健康を保障し、治療効果を高めるために、各病院は病室の環境を特に重視している。例えば、病室内の酸素、窒素などの含有量が基準値であるかどうかや、病室の患者が必要な環境条件であるかなど、病室を常時監視制御できる環境が望まれており、それによって入院患者の権益が保護され、生命の安全が保障される。
【０００４】
上述の目的に鑑み、従来技術においては病院内部で使用される警報装置が案出された。図１は従来技術によるエリア警報装置（Area alarm)１０であり、図２は従来技術による主警報装置（Master alarm）２０である。エリア警報装置１０は主に病室内で使用され、一つの病室に一つのエリア警報装置１０が配置され、エリア警報装置１０のセンサ１０２を通じて病室内の各種条件が患者の必要に符合しているかどうかを検出する。例えば、病室の空気の酸素、窒素および亜酸化窒素などの気体の含有量、または病室内の温度、湿度および気圧などが患者に好適なものであるかどうかを検出する。
また、エリア警報装置１０は上述の気体源の圧力が安定しているかまたは異常が発生していないかどうかを検査することができる。各病室内に配置されたエリア警報装置１０は中央の主警報装置２０に接続される。主警報装置２０はエリア警報装置１０が伝送してきた病室のデータを整合し、随時更新する。主警報装置２０のディスプレイ２０２には、例えば正常および異常などの各病室の簡単なデータが表示される。また、主警報装置２０に外部ホスト３を接続して、更なる整理が行なうこともできる。このように、監視制御を行なう人員はコンピュータ３を通じて各病室の徹底した監視制御を行なうことができる。
【０００５】
しかし、上述の警報装置設備は配置の融通性に問題があり、上述のエリア警報装置１０および主警報装置２０は二種類の異なる装置であるので、各病院の病室に配置するとき、配置を確定させてから購入する必要がある。
例えば、病院に５０の病室がある場合、５０のエリア警報装置１０を購入し、続いて監視制御状況に基づいて主警報装置２０を購入して更なる整合および監視制御を行なう必要がある。装置を交換したり、病院および病室において装置を減少させたり、増加させたりするとき、非常に不便であり、置換に掛かるコストも増加する。また、上述の二つの装置はヒューマナイズされてなく、例えば、二つの装置は組み込みシステムであり、製造時、必要なプログラムが二つの装置内のプロセッサ内に書き込まれる。従って、二つの装置の内部のプログラムを更新するとき、二つの装置の回路板を取り外してプログラムの更新を行なう必要があるので、取り外しおよび取り付けに時間が掛かるだけでなく、それに掛かるコストも必要となる。
【特許文献１】特開平０５−１３５２９２号公報
【特許文献１】特開平０６−２０５８３４公報
【特許文献２】特開２００２−２８１１６７公報
【発明の開示】
【発明が解決しようとする課題】
【０００６】
本発明の第１の目的は、エリア警報装置および主警報装置のモジュールおよび機能を同一の装置内に統合し、その装置を病室内に設置して環境検出に使用されるエリア警報装置とすることができるだけでなく、監視制御室内に設置して整合用の主警報装置としても使用することができ、伝送通路による接続によって、エリア警報装置および主警報装置の機能を分けて行なったり、同時に行なったりすることができる病院用警報システムの統合装置を提供することにある。
本発明の第２の目的は、装置上にメモリーカードモジュールが配置され、実行プログラムが保存された外部メモリーカードが接続されることによって、装置のプログラムの更新および修正を直接行なったり、或いはメモリーカードによって装置内部に記録されたデータを外部ホストにコピーしたりすることができ、従来技術において、更新時に内部の回路板を取り外さなければならないために、時間およびコストが掛かる問題を解決できる病院用警報システムの統合装置を提供することにある。
本発明の第３の目的は、エリア警報装置および主警報装置のモジュールおよび機能を同一の装置に統合し、病院内部の配置需要に基づいて、出入力モジュールを調整し、エリア警報機能と主警報機能とを分けて行ったり、或いは一つの装置において二種の機能を同意に実行したりすることができ、外部メモリーカードを接続することによって、装置内部のプログラム更新を随時行なうことができる病院用警報システムの統合装置を提供することにある。
【課題を解決するための手段】
【０００７】
上述の目的を解決するために、請求項１の発明は、制御ユニットと、制御ユニットと電気的に接続され、設置された環境の各条件のデータを検出し、検出したデータを制御ユニットに返信するのに使用されるセンサモジュールと、制御ユニットと電気的に接続され、統合装置の入力モジュールであり、第１の外部装置と接続され、第１の外部装置が発信する指令およびデータを制御ユニットに伝送するのに使用されるスイッチモジュールと、制御ユニットと電気的に接続され、第２の外部装置と接続され、制御ユニットが発信した指令およびデータを第２の外部装置に伝送するのに使用されるリレーモジュールと、制御ユニットと電気的に接続され、外部メモリーカードと接続され、制御ユニット内に保存されたデータをメモリーカードを通じて直接外部に出力したり、或いはメモリーカード内に保存されたプログラムによって制御ユニットに対してプログラムの更新を直接行なったりするのに使用されるメモリーカードモジュールと、制御ユニットと電気的に接続され、制御ユニットが伝送したデータの分析結果を受信して表示する表示モジュールと、を備えることを特徴とする病院用警報システムの統合装置である。
【０００８】
請求項２の発明は、制御ユニットは、少なくとも３２ビットであり、組み込みＯＳを有するＣＰＵが内蔵されることを特徴とする請求項１記載の病院用警報システムの統合装置である。
【０００９】
請求項３の発明は、センサモジュールは、気体センサモジュールであり、設置環境の各気体データを検出し、検出したデータを制御ユニットに返信するのに使用されることを特徴とする請求項１記載の病院用警報システムの統合装置である。
【００１０】
請求項４の発明は、第１の外部装置および第２の外部装置は、同一の外部装置であることを特徴とする請求項１記載の病院用警報システムの統合装置である。
【００１１】
請求項５の発明は、第１の外部装置および第２の外部装置は、統合装置であることを特徴とする請求項１記載の病院用警報システムの統合装置である。
【００１２】
請求項６の発明は、スイッチモジュールおよびリレーモジュールには、無電圧接点が提供され、無電圧接点による接続方式で複数の外部装置と接続されることを特徴とする請求項１記載の病院用警報システムの統合装置である。
【００１３】
請求項７の発明は、スイッチモジュールおよびリレーモジュールは、ＲＳ‐４８５ボードによって複数の外部装置と接続されることを特徴とする請求項１記載の病院用警報システムの統合装置である。
【００１４】
請求項８の発明は、メモリーカードモジュールは、ＳＤカードモジュールであることを特徴とする請求項１記載の病院用警報システムの統合装置である。
【００１５】
請求項９の発明は、更に、制御ユニットと電気的に接続されるインターフェイスポートモジュールを備え、インターフェイスポートモジュールは、外部ホストと接続され、ホストから装置内に保存されたデータを直接取得するのに使用されることを特徴とする請求項１記載の病院用警報システムの統合装置である。
【００１６】
請求項１０の発明は、インターフェイスポートモジュールは、ＲＳ‐２３２ポートを通じて外部ホストと接続されることを特徴とする請求項９記載の病院用警報システムの統合装置である。
【００１７】
請求項１１の発明は、インタフェイスポートモジュールは、無線ＬＡＮカードを通じて外部ホストと接続されることを特徴とする請求項９記載の病院用警報システムの統合装置である。
【００１８】
請求項１２の発明は、表示モジュールは、有機ＥＬであることを特徴とする請求項１記載の病院用警報システムの統合装置である。
【００１９】
請求項１３の発明は、表示モジュールは、ＬＥＤであることを特徴とする請求項１記載の病院用警報システムの統合装置である。
【００２０】
請求項１４の発明は、表示モジュールは、ＬＣＤであることを特徴とする請求項１記載の病院用警報システムの統合装置である。
【００２１】
請求項１５の発明は、制御ユニットには、更にウェブサーバーモジュールが内蔵されることを特徴とする請求項１記載の病院用警報システムの統合装置である。
【発明の効果】
【００２２】
本発明によれば、エリア警報装置および主警報装置のモジュールおよび機能を同時に兼ね備えた病院用警報システムの統合装置を提供するものであり、病院内部の配置需要に基づいて、出入力モジュールを調整し、エリア警報機能と主警報機能とを分けて使用したり、或いは、一つの統合装置において二種の機能を同時に実行したりすることができ、外部メモリーカードを接続することによって、統合装置内部のプログラムの更新を随時行なうことができ、更新時に必要な時間およびコストを大幅に低減することができる。
【発明を実施するための最良の形態】
【００２３】
本発明の目的、特徴および効果を示す実施例を図に沿って詳細に説明する。
図３は、本発明の実施例の構造を示すブロック図である。図から分かるように、本発明は主に組み込みＯＳを有する制御ユニット４１および複数のモジュールから構成された統合装置４である。制御ユニット４１が各モジュールと電気的に接続されて統合されることによって、一つの装置に従来技術によるエリア警報装置（Area alarm）１０および主警報装置（Master alarm）２０機能を同時に有することができる。本発明の統合装置４は従来技術によるエリア警報装置１０および主警報装置２０のモジュールおよび機能を同時に兼ね備えるので、制御ユニット４１は機能性の高いＣＰＵである必要があり、３２ビットまたはそれ以上のＣＰＵが好ましいがそれに制限されない。
【００２４】
複数のモジュールとしては、センサモジュール４２、表示モジュール４３、スイッチモジュール４４、リレーモジュール４５およびウェブサーバーモジュール４１ａを備える。
【００２５】
１．前記センサモジュール４２は、設置された環境の各データの検出に使用することができる。例えば、酸素含有量、窒素含有量、亜酸化窒素含有量、温度、湿度または気体濃度などを検出して制御ユニット４１に送信し、分析して基準に符合するかどうかを判断する。
【００２６】
２．前記表示モジュール（表示ユニット)４３は、ＬＥＤ，有機ＥＬまたはＬＣＤなどである。上述のセンサモジュール４２が検出したデータは制御ユニット４１に送信される。制御ユニット４１は分析後、複数の信号に簡単に帰納し、表示モジュール４３に送信し、警告信号を表示する。例えば、ランプを点滅させることによって正常または異常を表示したり、三種類の異なる色のランプによって正常、危険または異常などを表示する。
【００２７】
３．前記スイッチモジュール（Switch state）４４は、例えば、バキューム吸引装置（Vacuum）または空気圧縮装置（Air compressor）など各種スイッチ機能を有する外部拡張装置５との接続に使用することができる。更に、例えば、第２の統合装置４ｂを有し、それが主警報装置の機能の実行に使用されるとき、第２の統合装置４ｂのスイッチモジュール４４によってエリア警報装置機能を実行する第１の統合装置４ａと接続し、第１の統合装置４ａが記録した警報信号を受信することができる。
【００２８】
４．前記リレーモジュール４５は、その他の装置または回路板との接続に使用され、警報信号をその他の警報システムまたは装置に出力する。例えば、第１の統合装置４ａを有し、それがエリア警報装置の機能の実行に使用されるとき、リレーモジュール４５によって主警報装置の機能を実行する第２の統合装置４ｂと接続され、第１の統合装置４ａ上のセンサモジュール４２が検知した警報信号が第２の統合装置４ｂに伝送されることによって、統一した整合および監視制御が行なわれる。
【００２９】
５．前記ウェブサーバーモジュール４１ａは、組み込みウェブサーバー（embedded webserver）であり、制御ユニット４１内に内蔵される。ウェブサーバーモジュール４１ａは例えば外部メモリーカードを通じて更新され（後ほど詳細に説明を行う）、ネットワークに接続されたコンピュータは全て監視制御画面を表示することができる。
なお、上述の説明は本発明の好適な実施例を示すものであり、本発明を制限するものではない。
【００３０】
本発明のの実施例の統合装置４は、更にインターフェースポートモジュール４６を有し、使用者が有線または無線方式で外部ホスト３と接続することによって、病室の安全性を更に徹底して監視制御することができる。本実施例において、有線方式はＲＳ‐２３２ポートであり、無線方式は無線ＬＡＮカードによるものとすることができるが、それに制限されない。例えば、インターフェイスポートモジュール４６はＴＣＰ／ＩＰ通信プロトコルを支援するインターフェイスポートモジュールとすることができ、遠端のパーソナルコンピュータと接続することができ、遠端のパーソナルコンピュータは制御ユニット４１内のウェブサーバーモジュール４１ａと接続して、監視制御画面を表示することができる。
【００３１】
また、統合装置４の体積の大きさを考慮して、統合装置４に配置される表示モジュール４３は面積が大きいものを使用できず、その数量も過多にはできない。従って、表示できるデータは病室内の環境が正常か異常かを表示できるが、詳細なデータを表示することはできない。
それ故、監視制御を行なう者は外部ホスト３を通じて、有線または無線方式によって統合装置４と接続し、ホスト３上の監視制御ソフトを通じて統合装置４内の各種係合データの更なる分析および監視制御を行なうことができる。
【００３２】
図４は、本発明の実施例の接続状態を示すブロック図である。図に示すように、複数のエリア警報装置とされる第１の統合装置４ａおよび主警報装置とされる第２の統合装置４ｂを有する。第１の統合装置４ａは病室内にそれぞれ配置されてエリア警報装置として使用される。第２の統合装置４ｂは監視制御室内に配置され、主警報装置として使用される。第１の統合装置４ａのセンサモジュール４２は第１の統合装置４ａが配置された場所の環境条件の検出に使用され、検出されたデータは第１の統合装置４ａに返信される。第１の統合装置４ａはスイッチモジュール４４を経由して例えば真空吸引装置または空気圧縮装置（図示せず）などのその他の外部の拡張装置５と接続される。本実施例において、スイッチモジュール４４は無電圧接点（Dry contact）による接続方式で外部の拡張装置５と接続されるが、それに制限されない。上述の拡張装置５が検出したデータは第１の統合装置４ａ内部の制御ユニット４１に送信される。制御ユニット４１は分析後、これらのデータを表示モジュール４３に伝送し、表示モジュール４３のＬＥＤ、有機ＥＬまたはＬＣＤを通じて外部に表示する。
【００３３】
第１の統合装置４ａはリレーモジュール４５(図３〜図６参照)によって第２の統合装置４ｂのスイッチモジュール４４と接続され、第２の統合装置４ｂの拡張設備とされ、取得されたデータを第２の統合装置４ｂに提供する。
本実施例において、第１の統合装置４ａはＲＳ‐４８５ボードによって第２の統合装置４ｂと接続されるが、それに制限されない。第１の統合装置４ａは病室内に設置されるエリア警報装置とされる。第２の統合装置４ｂは中央の主警報装置とされ表示モジュール４３ｂを有している。第２の統合装置４ｂは複数のスイッチモジュール４４を有するので、複数接続してエリア警報装置とし、各病室にそれぞれ設置することができる。エリア警報装置機能を有する第１の統合装置４ａは各病室からのデータを受信するのに使用される。次に、第２の統合装置４ｂ上の表示モジュール４３を通じて各病室の簡単なデータを一つ一つ表示する。例えば、本実施例において、各病室の第１の統合装置４ａは表示モジュール４３a上のＬＥＤ信号灯にそれぞれ対応しており、緑色ＬＥＤ信号灯は正常を表示し、赤色ＬＥＤ信号灯は異常を表示するがそれに制限されない。
第２の統合装置４ｂのリレーモジュール４５はアラームシステムまたは自動通報システム（図示せず）などのその他の外部装置と接続することができ、病院内部の監視制御システムを更に構造的にし、監視制御方法を更に多元化し、病院内の安全性を高めることができる。本発明の実施形態は各病院の必要に応じて配置がされ、制限されない。
【００３４】
重要な点として、本発明の実施例の統合装置４はエリア警報装置と主警報装置とに分けて別々に使用することも、二つの機能を同時に実行することもできる。
図５に示すように、五つのエリア警報装置によって五つの病室内の環境を監視制御する必要がある場合、更に一つの主警報装置を接続する必要があるが、五つの警報装置しか購入できない場合、五つの装置の一組をエリア警報装置および主警報装置として使用することができる。即ち、本実施例における第３の統合装置４ｃはセンサモジュール４２によって第３の統合装置４ｃが設置された環境の条件を検出し、第１の表示モジュール４３ａ上に表示し、その病室の各データを表示できる。次に、スイッチモジュール４５によって四つの異なる病室に設置された四つの装置から伝送されたデータを受信し、五つの病室全てのデータを第３の統合装置４ｃ上の制御ユニット４１に伝送して処理を行い、第２の表示ユニット４３ｂに各病室のデータを表示させることができる。
【００３５】
上述の本発明の実施例の三種類の使用方法（エリア警報装置、主警報装置およびエリア警報装置＋主警報装置）は、内部のプログラムを更新することによって、その機能区分を明確にすることができる。元来設定されたプログラム以外に使用者は統合装置４内部のプログラムを自ら更新できる。
図６に示すように、本発明の実施例にはメモリーカードモジュール４７が設置される。メモリーカードモジュール４７はＳＤカードモジュールが好ましい。使用者または管理者が統合装置４内のプログラムを変更してその他の機能を実行した場合や、または新しいバージョンに更新したい場合、外部メモリーカード４７ａを外部ホスト３と接続し、更新したいソフトをメモリーカード４７ａに保存した後、メモリーカード４７ａを統合装置４上のメモリーカードモジュール４７に接続し、例えば、ウェブサーバーモジュール４１ａの更新などのプログラムの更新作業を行なうことができる。このように、統合装置４のプログラムを更新するために、統合装置４内部の一部回路板を取り外して更新を行なう必要がないので、更新に掛かる時間およびコストを大幅に低減できる。
【００３６】
以上の詳細な説明は本発明の好適な実施例を示したものであり、本発明の特許請求の範囲を制限するものではなく、本発明の主旨に基づく同等効果の変更などは全て本発明の特許請求の範囲に含まれる。
【図面の簡単な説明】
【００３７】
【図１】従来技術によるエリア警報装置を示すブロック図である。
【図２】従来技術による主警報装置を示すブロック図である。
【図３】本発明の構造を示すブロック図である。
【図４】本発明の使用状態を示すブロック図である。
【図５】本発明の他の使用状態を示すブロック図である。
【図６】本発明の他の実施例の構造を示すブロック図である。
【符号の説明】
【００３８】
４  統合装置
４ａ  第１の統合装置
４ｂ  第２の統合装置
４ｃ  第３の統合装置
４１  制御ユニット
４１ａ  ウェブサーバーモジュール
４２  センサモジュール
４３、４３ａ、４３ｂ  表示モジュール
４４  スイッチモジュール
４５  リレーモジュール
４６  インターフェイスポートモジュール
４７  メモリーカードモジュール
４７ａ  メモリーカード
５  拡張装置
【図１】
2009259057.tif 000003
【図２】
2009259057.tif 000004
【図３】
2009259057.tif 000005
【図４】
2009259057.tif 000006
【図５】
2009259057.tif 000007
【図６】
2009259057.tif 000008